(57)【要約】携帯端末を用いてテレビ放送を録画するにあたり、記憶領域を無駄に使ってしまうという課題を解決するために、テレビ放送の録画及び再生を制御する録画制御手段と、予め設定された条件を格納する設定記憶手段と、録画制御手段の制御に基づいてテレビ放送の内容を録画する録画手段と、を備え、録画制御手段は、テレビ放送を受信中に携帯端末が所定の形態に変化したことをトリガとして、テレビ放送の録画を開始するように録画手段を制御し、設定記憶手段に格納された予め設定された条件が満たされるとテレビ放送の録画を終了するように前記録画手段を制御する携帯端末を提供する。
2009093669.tif 000002
【特許請求の範囲】
【請求項１】
テレビ機能およびテレビ放送を録画する機能を有し、所定の形態に自在に変化する携帯端末において、
前記携帯端末は、
予め設定された条件を格納する設定記憶手段と、
テレビ放送の内容を録画する録画手段と、
テレビ放送を受信中に前記携帯端末が前記所定の形態に変化したことをトリガとして、前記テレビ放送の録画を開始するように前記録画手段を制御し、前記設定記憶手段に格納された予め設定された条件が満たされると前記テレビ放送の録画を終了するように前記録画手段を制御する録画制御手段と
を備えたことを特徴とする携帯端末。
【請求項２】
前記設定記憶手段は、前記予め設定された条件を予め任意に格納することを特徴とする請求の範囲第１項に記載の携帯端末。
【請求項３】
前記設定記憶手段は、予め設定された条件として、テレビ放送を録画する時間を規定した録画時間情報を格納し、前記録画制御手段は、前記録画時間情報に規定された時間が経過したときに前記テレビ放送の録画を終了するように前記録画手段を制御することを特徴とする請求の範囲第１項または第２項に記載の携帯端末。
【請求項４】
前記設定記憶手段は、予め設定された条件として、テレビ放送の録画を終了する時刻を規定した録画終了時刻情報を格納し、前記録画制御手段は、前記録画終了時刻情報に規定された時刻にテレビ放送の録画を終了するように前記録画手段を制御することを特徴とする請求の範囲第１項または第２項に記載の携帯端末。
【請求項５】
前記設定記憶手段は、予め設定された条件として、受信しているテレビ番組が変化したときに録画を終了するという規定を格納し、前記録画制御手段は、録画を開始したテレビ放送のテレビ番組に含まれ、該テレビ番組に固有のイベント情報と録画開始後に検出したイベント情報とが異なる場合に録画を終了するように前記録画手段を制御することを特徴とする請求の範囲第１項または第２項に記載の携帯端末。
【請求項６】
前記設定記憶手段は、テレビ放送を録画する時間を規定した録画時間情報と、テレビ放送の録画を終了する時刻を規定した録画終了時刻情報と、録画を開始したテレビ放送のテレビ番組に含まれる該テレビ番組に固有のイベント情報と、を格納し、
前記録画制御手段は、録画開始後に、前記録画時間情報に規定された時間が経過したとき、前記録画終了時刻情報に規定された時刻になったとき又は前記設定記憶手段に格納したイベント情報と録画開始後に検出したイベント情報とが異なるとき、のいずれか一つを満たす場合に録画を終了するように前記録画手段を制御することを特徴とする請求の範囲第１項に記載の携帯端末。
【請求項７】
前記設定記憶手段は、前記録画時間情報又は前記録画終了時刻情報を予め任意に格納することを特徴とする請求の範囲第６項に記載の携帯端末。
【請求項８】
前記録画制御手段は、録画開始後に、前記録画時間情報に規定された時間が経過したとき、前記録画終了時刻情報に規定された時刻になったとき又は前記設定記憶手段に格納したイベント情報と録画開始後に検出したイベント情報とが異なるとき、における録画終了の可否を予め任意に設定できることを特徴とする請求の範囲第６項記載の携帯端末。
【請求項９】
テレビ機能およびテレビ放送を録画する機能を有し、所定の形態に自在に変化する携帯端末のテレビ放送録画方法において、
予め設定された条件を格納し、
テレビ放送を受信中に前記携帯端末が前記所定の形態に変化したことをトリガとして、前記テレビ放送の録画を開始し、
前記格納された予め設定された条件が満たされると前記テレビ放送の録画を終了すること、
を、備えることを特徴とする携帯端末のテレビ放送録画方法。
【請求項１０】
前記予め設定された条件を予め任意に設定することを特徴とする請求の範囲第９項に記載の携帯端末のテレビ放送録画方法。
【請求項１１】
予め設定された条件として、テレビ放送を録画する時間を規定した録画時間情報を格納し、前記録画時間情報に規定された時間が経過したときに前記テレビ放送の録画を終了することを特徴とする請求の範囲第９項または第１０項に記載の携帯端末のテレビ放送録画方法。
【請求項１２】
予め設定された条件として、テレビ放送の録画を終了する時刻を規定した録画終了時刻情報を格納し、前記録画終了時刻情報に規定された時刻にテレビ放送の録画を終了することを特徴とする請求の範囲第９項または第１０項に記載の携帯端末のテレビ放送録画方法。
【請求項１３】
予め設定された条件として、受信しているテレビ番組が変化したときに録画を終了するという規定を格納し、録画を開始したテレビ放送のテレビ番組に含まれ、該テレビ番組に固有のイベント情報と録画開始後に検出したイベント情報とが異なる場合に録画を終了することを特徴とする請求の範囲第９項または第１０項に記載の携帯端末のテレビ放送録画方法。
【請求項１４】
テレビ放送を録画する時間を規定した録画時間情報と、テレビ放送の録画を終了する時刻を規定した録画終了時刻情報と、録画を開始したテレビ放送のテレビ番組に含まれる該テレビ番組に固有のイベント情報と、を格納し、
録画開始後に、前記録画時間情報に規定された時間が経過したとき、前記録画終了時刻情報に規定された時刻になったとき又は前記格納されたイベント情報と録画開始後に検出したイベント情報とが異なるとき、のいずれか一つを満たす場合に録画を終了することを特徴とする請求の範囲第９項に記載の携帯端末のテレビ放送録画方法。
【請求項１５】
前記録画時間情報又は前記録画終了時刻情報を予め任意に設定することを特徴とする請求の範囲第１４項に記載の携帯端末のテレビ放送録画方法。
【請求項１６】
録画開始後に、前記録画時間情報に規定された時間が経過したとき、前記録画終了時刻情報に規定された時刻になったとき又は前記格納されたイベント情報と録画開始後に検出したイベント情報とが異なるとき、における録画終了の可否を予め任意に設定することを特徴とする請求の範囲第１４項記載の携帯端末のテレビ放送録画方法。
【請求項１７】
テレビ機能およびテレビ放送を録画する機能を有し、所定の形態に自在に変化する携帯端末のテレビ放送録画用プログラムにおいて、
予め設定された条件を格納する処理と、
テレビ放送を受信中に前記携帯端末が前記所定の形態に変化したことをトリガとして、前記テレビ放送の録画を開始する処理と、
前記格納された予め設定された条件が満たされると前記テレビ放送の録画を終了する処理と、
を、コンピュータに実行させることを特徴とする携帯端末のテレビ放送録画用プログラム。
【請求項１８】
前記予め設定された条件を予め任意に設定する処理を含むことを特徴とする請求の範囲第１７項に記載の携帯端末のテレビ放送録画用プログラム。
【請求項１９】
予め設定された条件として、テレビ放送を録画する時間を規定した録画時間情報を格納する処理と、前記録画時間情報に規定された時間が経過したときに前記テレビ放送の録画を終了する処理とを含むことを特徴とする請求の範囲第１７項に記載の携帯端末のテレビ放送録画用プログラム。
【請求項２０】
予め設定された条件として、テレビ放送の録画を終了する時刻を規定した録画終了時刻情報を格納する処理と、前記録画終了時刻情報に規定された時刻にテレビ放送の録画を終了するする処理とを含むことを特徴とする請求の範囲第１７項に記載の携帯端末のテレビ放送録画用プログラム。
【請求項２１】
予め設定された条件として、受信しているテレビ番組が変化したときに録画を終了するという規定を格納する処理と、録画を開始したテレビ放送のテレビ番組に含まれ、該テレビ番組に固有のイベント情報と録画開始後に検出したイベント情報とが異なる場合に録画を終了する処理とを含むことを特徴とする請求の範囲第１７項に記載の携帯端末のテレビ放送録画用プログラム。
【請求項２２】
テレビ放送を録画する時間を規定した録画時間情報と、テレビ放送の録画を終了する時刻を規定した録画終了時刻情報と、録画を開始したテレビ放送のテレビ番組に含まれる該テレビ番組に固有のイベント情報と、を格納する処理と、
録画開始後に、前記録画時間情報に規定された時間が経過したとき、前記録画終了時刻情報に規定された時刻になったとき又は前記格納されたイベント情報と録画開始後に検出したイベント情報とが異なるとき、のいずれか一つを満たす場合に録画を終了する処理と
をコンピュータに実行することを特徴とする請求の範囲第１７項に記載の携帯端末のテレビ放送録画用プログラム。
【請求項２３】
前記録画時間情報又は前記録画終了時刻情報を予め任意に設定する処理を含むことを特徴とする請求の範囲第２２項に記載の携帯端末のテレビ放送録画用プログラム。
【請求項２４】
録画開始後に、前記録画時間情報に規定された時間が経過したとき、前記録画終了時刻情報に規定された時刻になったとき又は前記格納されたイベント情報と録画開始後に検出したイベント情報とが異なるとき、における録画終了の可否を予め任意に設定する処理を含むことを特徴とする請求の範囲第２２項記載の携帯端末のテレビ放送録画用プログラム。
【発明の詳細な説明】
【技術分野】
【０００１】
本発明は、テレビ機能およびテレビ放送を録画する機能を有する携帯端末、その携帯端末によるテレビ放送録画方法、およびその携帯端末のテレビ放送録画用プログラムに関する。
【背景技術】
【０００２】
テレビ機能を有する携帯端末、例えば携帯電話機を使用して使用者がテレビを視聴する場合、多くの使用者は移動時間のような僅かな空き時間を利用してテレビを視聴している。そのような限られた時間内では、使用者は番組の続きを視聴することができない。
そこで、使用者は番組の続きを視聴したいときは、テレビ放送を録画する機能を有する携帯電話機を使用し、操作部を操作して録画開始および強制終了の指示を出すことによりテレビ放送を録画していた。
このように、使用者は番組の続きを視聴したいときは録画開始の操作を毎回行わなくてはならない。これは、使用者によって煩雑な作業である。この問題を克服する装置が、特開２００６−０２０２８７号公報および特開２００６−３３９９３２号公報に開示されている。特開２００６−０２０２８７号公報には、閉じられたことを検出すると、記憶された開始時刻にテレビ画像を録画する携帯端末装置が開示される。また、特開２００６−３３９９３２号公報には、テレビ画像の出力が中断されたとしても、その間に録画動作を行い、後に開けられたことを検出したときに、中断箇所の少し前から放送内容を再生する携帯端末装置が開示される。
【発明の開示】
【発明が解決しようとする課題】
【０００３】
特開２００６−０２０２８７号公報に開示される携帯端末装置は、閉じられたのち再度開かれない場合には、録画を中断しない。このため、携帯端末装置は不要な箇所も録画するので、記憶装置を無駄に使ってしまうという問題があった。また、特開２００６−３３９９３２号に開示される携帯端末装置は、出力を中断されることが可能な最大時間を予め保持し、その時間が経過しても中断が解除されない場合は使用者にアラームを通知することはできる。しかしながら、特開２００６−０２０２８７号公報に開示される携帯端末装置と同様に、この携帯端末装置も記憶装置を無駄に使ってしまうという問題がある。
本発明の目的は、上述した課題である、テレビ放送の録画にあたり、記憶領域を無駄に使ってしまうことを解決する携帯端末、そのテレビ放送録画方法およびそのテレビ放送録画用プログラムを提供することにある。
【課題を解決するための手段】
【０００４】
本発明の第１の携帯端末は、テレビ機能およびテレビ放送を録画する機能を有し、所定の形態に自在に変化し、携帯端末は、予め設定された条件を格納する設定記憶手段と、テレビ放送の内容を録画する録画手段と、テレビ放送を受信中に携帯端末が所定の形態に変化したことをトリガとして、テレビ放送の録画を開始するように録画手段を制御し、設定記憶手段に格納された予め設定された条件が満たされるとテレビ放送の録画を終了するように録画手段を制御する録画制御手段とを備える。
本発明の第１の携帯端末のテレビ放送録画方法は、テレビ機能およびテレビ放送を録画する機能を有し、所定の形態に自在に変化する携帯端末において、予め設定された条件を格納し、テレビ放送を受信中に携帯端末が前記所定の形態に変化したことをトリガとして、テレビ放送の録画を開始し、格納された予め設定された条件が満たされるとテレビ放送の録画を終了することを備える。
本発明の第１の携帯端末のテレビ放送録画用プログラムは、テレビ機能およびテレビ放送を録画する機能を有し、所定の形態に自在に変化する携帯端末において、予め設定された条件を格納する処理と、テレビ放送を受信中に携帯端末が所定の形態に変化したことをトリガとして、テレビ放送の録画を開始する処理と、格納された予め設定された条件が満たされるとテレビ放送の録画を終了する処理とを、コンピュータに実行させる。
【発明の効果】
【０００５】
本発明によれば、携帯端末において、記憶領域を効率よく使用しながらテレビ放送を録画できるという効果を奏する。
【図面の簡単な説明】
【０００６】
第１図は、本発明の実施形態１における携帯端末の構成を示す概略図である。
第２図は、本発明の実施形態１における携帯端末の動作を示すフローチャートである。
第３図は、本発明の実施形態１における録画時間情報を設定する手順を示す図である。
第４図は、本発明の実施形態１における録画動作を説明する図である。
第５図は、本発明の実施形態２における携帯端末の動作を示すフローチャートである。
第６図は、本発明の実施形態２における録画終了時刻情報を設定する手順を示す図である。
第７図は、本発明の実施形態２における録画動作を説明する図である。
第８図は、本発明の実施形態３における携帯端末の動作を示すフローチャートである。
第９図は、本発明の実施形態３におけるイベント情報を設定する手順を示す図である。
第１０図は、本発明の実施形態３における設定記憶部に格納される開始時イベント情報テーブルを示す図である。
第１１図は、本発明の実施形態３における録画動作を説明する図である。
第１２図は、本発明の実施形態４における録画設定情報を設定する手順を示す図である。
第１３図は、本発明の実施形態４における携帯端末の動作を示すフローチャートである。
第１４図は、本発明の実施形態４における設定記憶部に格納される録画設定情報の一例を示す図である。
第１５図は、本発明の実施形態４における録画動作を説明する図である。
第１６図は、本発明の実施形態５における携帯端末の構成を示す図である。
【符号の説明】
【０００７】
１０  制御部
１１  テレビ制御部
１２  録画制御部
１３  設定制御部
２０  電話無線部
２１  電話アンテナ部
２２  電源部
２３  送話部
２４  受話部
２５  テレビ受信部
２６  テレビアンテナ部
２７  表示部
２８  スピーカ
２９  開閉検出部
３０  操作部
３１  記憶部
３２  録画部
３３  設定記憶部
４０  時計部
４１  タイマー
４２  時計
５０  携帯端末
５１  録画制御手段
５２  設定記憶手段
５３  録画手段
【発明を実施するための最良の形態】
【０００８】
以下、本発明の実施形態について、図面を参照して説明する。
［第１の実施形態］
第１図は、本発明に係る携帯端末１の構成を示す図である。携帯端末は、例えば携帯電話機であってもよい。第１図に示すように、本発明に係る携帯端末１は、制御部１０と電話無線部２０とを有する。制御部１０と電話無線部２０とは、データの送受信を行う。電話無線部２０には、無線信号の送受信のための電話アンテナ部２１が接続される。制御部１０には、電源部２２、送話部２３、受話部２４、テレビ受信部２５、表示部２７、スピーカ２８、開閉検出部２９、操作部３０、記憶部３１および時計部４０が接続される。各要素は、制御部１０とデータの送信若しくは受信、又は送受信を行う。
さらに、制御部１０は、テレビ制御部１１、録画制御部１２および設定制御部１３を備える。記憶部３１は、録画部３２および設定記憶部３３を備える。時計部４０は、タイマー４１および時計４２を備える。
電源部２２は、携帯端末全体に電力を供給する。送話部２３は、使用者の音声信号を相手側に伝える。受話部２４は、相手側の音声信号を使用者に伝える。テレビ受信部２５には、テレビ信号の受信に使用されるテレビアンテナ部２６が接続される。テレビ受信部２５は、テレビアンテナ部２６を介してテレビ用信号を受信する。表示部２７は、テレビ画像、各種情報などを表示する。スピーカ２８は、音楽、音声または報知音などを使用者に伝える。開閉検出部２９は、携帯端末１の起動中、常に携帯端末１の開閉状態を検出する。操作部３０は、発着信などの各種機能の起動指示を使用者から受け付ける。
制御部１０のテレビ制御部１１は、テレビ受信の制御を行う。録画制御部１２は、テレビ画像の録画および再生を制御する。また、録画制御部１２は、開閉検出部２９による開閉状態の検出を常に監視している。設定制御部１３は、テレビ画像の録画に関する設定を規定する録画設定情報の設定制御を行う。
記憶部３１の録画部３２は、テレビ画像を録画した録画データを記憶する。設定記憶部３３は、録画設定情報または電話機の各種設定情報を記憶する。
なお、携帯端末内の無線部と基地局等の無線通信システムとの接続及びその構成については、当業者にとってよく知られているため、その説明は省略する。
第２図は、本発明の実施形態１における携帯端末１の動作を示すフローチャートである。第２図を参照して、携帯端末１における録画の動作について説明する。
まず、使用者が、携帯端末１の操作部３０を操作して、テレビ機能を起動する指示を出したとする。この指示に応答して、テレビ制御部１１が、テレビ受信部２５を起動し、テレビ信号を受信するよう制御する。テレビ制御部１１は、テレビ受信部２５が受信したテレビ信号を適切なデータに変換し、表示部２７に表示させる。これにより、使用者は、表示部２７に表示されたテレビ画像を見ることができる。使用者はしばしば移動中等の僅かな空き時間を利用してテレビを視聴している。使用者がテレビを視聴している間は、開閉検出部２９は携帯端末１の「開状態」を検出している。
しばらくテレビを視聴した後、移動時間の終了等の事情のために、使用者が携帯端末１を折り畳んだとする。このとき、開閉検出部２９は携帯端末１の「閉状態」を検出し、録画制御部１２がこれを認識する（ステップＳ１０２で「ＹＥＳ」）。
録画制御部１２は、この「閉状態」を認識したことをトリガとして、録画動作を開始する（ステップＳ１０３）。ここで、録画されたデータは記憶部３１内の録画部３２に格納される。
録画制御部１２は、録画を開始したあと、記憶部３１内の設定記憶部３２に格納される録画設定情報を取得する（ステップＳ１０４）。この実施形態１では、録画設定情報として、設定記憶部３２は録画時間情報を保持する。ここで、録画時間情報とは、予め使用者が設定した、録画したいある一定時間の値である。使用者は、携帯端末１からこの録画時間情報を任意に設定することができる。
第３図は、録画時間情報を設定する手順を示す図である。この第３図を参照して、録画時間情報を設定する手順を説明する。使用者は、任意のタイミングで、操作部３０を操作して録画設定情報を設定する指示を出す。制御部１０の設定制御部１３がこの指示を受けて、録画設定情報の設定画面を表示部２７に表示する。録画設定情報の設定画面は、第３図に示されるように、「１．録画時間」、「２．録画終了時刻」、「３．イベント情報」および「４．全て」の４つの選択肢を示す画面である。ここでは、「１．録画時間」について説明し、その他については後述する。
使用者は、この設定画面に対して「１」を入力する。すると、設定制御部１３は、録画時間の入力画面を表示する。使用者は、ここで、例えば「３０分」と入力し、「ＯＫ」ボタンを押下する。設定制御部１３は、録画時間情報として、「録画時間３０分」というデータを生成する。これは、「３０分間録画を行う」という指示内容の録画時間情報である。設定制御部１３は、この録画時間情報を設定記憶部４２に格納する。以上の操作により、録画時間情報を設定できる。この設定は、予め使用者が任意に行うことが可能である。
録画制御部１２は、ステップＳ１０４において取得した録画設定情報の内容を確認する（ステップＳ１０５）。ここでは、「録画時間３０分」という録画設定情報が読み出される。一例として「３０分」が示されるが、上述のように、使用者が任意に設定可能である。録画制御部１２は、読み出した録画時間をタイマー４１にセットしスタートさせる（ステップＳ１０６）。
続いて、録画制御部１２は、タイマー４１の設定時間が経過したか否かの判定を行う（ステップＳ１０７）。設定時間が経過していない場合（ＮＯ）、録画制御部１２は、使用者による強制終了の指示があったか否かの判定を行う（ステップＳ１０９）。強制終了の指示があった場合（ＹＥＳ）、録画制御部１２は、録画を終了する（ステップＳ１０８）。強制終了の指示がない場合（ＮＯ）、録画制御部１２はステップＳ１０７に戻る。
ステップＳ１０７にてタイマー４１の設定時間が経過した場合（ＹＥＳ）、録画制御部１２は、録画を終了する（ステップＳ１０８）。この時点で、予め設定されていた時間の録画が完了する。
上述の一連の手順を録画制御部１２が制御している。したがって、ステップＳ１０２で使用者が携帯端末１を閉じる動作を行ってから、設定時間の録画が終了するまで、使用者は操作をする必要がない。
また、ステップＳ１０２にて録画が開始された後、再び使用者が携帯端末１を開いたとしても、録画制御部１２は録画の動作を続ける。この状態で、使用者がメール送信等の他の操作を行うことが可能であってもよい。また、ステップＳ１０７においてタイマーに設定された時間が経過した場合であっても、録画を終了しないように予め任意に設定することもできる。
第４図は、本実施形態１における録画動作を説明する図である。第４図に示すように、録画制御部１２はステップＳ１０２におけるクローズ動作をトリガとして録画を開始し、ステップＳ１０７においてタイマー４１の設定時間（ここでは３０分）が経過すると、録画動作を終了する。
以上説明したように、本実施形態１に係る携帯端末１では、設定制御部１３が使用者からテレビ放送の録画時間を予め受け付け、設定記憶部３３に格納しておく。この構成により、使用者は、録画したい任意の時間を設定できるという効果が得られる。また、録画制御部１２が、設定記憶部３３に格納された録画時間が経過すると、録画を終了するように制御する。この構成により、携帯端末１は必要な内容のみを録画できるので、記憶領域を効率よく使用しながらテレビ放送を録画できるという効果が得られる。
［第２の実施形態］
次に、本発明の実施形態２について説明する。
本発明の実施形態２における携帯端末の構成は、実施形態１における携帯端末１の構成と同様である。設定記憶部３３内のデータが異なるが、その他の構成は実施形態１と同様であるため説明を省略する。
第５図は、本発明の実施形態２における携帯端末１の動作を示すフローチャートである。第５図を参照して、本実施形態２に係る携帯端末１による録画の動作について説明する。なお、第５図のステップＳ２０１、Ｓ２０２及びＳ２０３は、実施形態１におけるステップＳ１０１、Ｓ１０２及びＳ１０３とそれぞれ同様の動作であるため、それらの説明を省略する。
録画制御部１２は、録画を開始したあと、記憶部３１内の設定記憶部３２に格納される録画設定情報を取得する（ステップＳ２０４）。この実施形態２では、録画設定情報として、設定記憶部３２は録画終了時刻情報を保持する。ここで、録画終了時刻情報とは、予め使用者が設定した、録画を終了したい時刻の情報である。使用者は、携帯端末１からこの録画終了時刻情報を任意に設定することができる。
第６図は、録画終了時刻情報を設定する手順を示す図である。第６図を参照して、録画終了時刻情報を設定する手順を説明する。使用者は、任意のタイミングで、操作部３０を操作して録画設定情報を設定する指示を出す。設定制御部１３がこの指示を受けて、録画設定情報の設定画面を表示部２７に表示する。録画設定情報の設定画面は、上記実施形態１と同様に、「１．録画時間」、「２．録画終了時刻」、「３．イベント情報」および「４．全て」の４つの選択肢を示す画面である。ここでは、「２．録画終了時刻」について説明し、「３．イベント情報」、「４．全て」については後述する。
使用者は、この設定画面に対して「２」を入力する。すると、設定制御部１３は、録画終了時刻の入力画面を表示する。使用者は、ここで、例えば「００」と入力し、「ＯＫ」ボタンを押下する。設定制御部１３は、録画終了時刻情報として、「録画終了時刻××：００」というデータを生成する。これは、時間を問わず××時００分になったら録画を終了するという指示内容の録画終了時刻情報である。設定制御部１３は、この録画終了時刻情報を設定記憶部４２に格納する。以上の操作により、使用者は録画終了時刻情報を設定できる。この設定は、予め使用者が任意に行うことが可能である。
録画制御部１２は、ステップＳ２０４において取得した録画設定情報の内容を確認する（ステップＳ２０５）。ここでは、「録画終了時刻××：００」という録画設定情報が読み出される。一例として「××：００」が示されるが、上述のように、使用者が任意に設定可能である。続いて、録画制御部１２は、時計４２から現在時刻を取得し（ステップＳ２０６）、ステップＳ２０５で確認した録画終了時刻と現在時刻とを比較する（ステップＳ２０７）。録画終了時刻と現在時刻とが一致しない場合（ＮＯ）、録画制御部１２は、使用者による強制終了の指示があったか否かの判定を行う（ステップＳ２０９）。
強制終了の指示があった場合（ＹＥＳ）、録画制御部１２は、録画を終了する（ステップＳ２０８）。強制終了の指示がない場合（ＮＯ）、録画制御部１２はステップＳ２０６に戻る。
ステップＳ２０７において、録画終了時刻と現在時刻とが一致した場合（ＹＥＳ）、録画制御部１２は、録画を終了する（ステップＳ２０８）。この時点で、予め設定されていた録画終了時刻での録画が完了する。
上述の一連の手順を録画制御部１２が制御している。したがって、ステップＳ２０２において使用者が携帯端末１を閉じる動作を行ってから、設定時刻で録画が終了するまで、使用者は操作をする必要がない。
また、ステップＳ２０２において録画が開始された後、再び使用者が携帯端末１を開いたとしても、録画制御部１２は録画の動作を続ける。この状態で、使用者がメール送信等の他の操作を行うことが可能であってもよい。また、ステップＳ２０７において現在時刻が録画終了時刻と一致した場合であっても、録画を終了しないように予め任意に設定することもできる。
第７図は、本実施形態２における録画動作を説明する図である。第７図に示すように、録画制御部１２はステップＳ２０２におけるクローズ動作をトリガとして録画を開始し、ステップＳ２０７において録画終了時刻（ここでは××時００分）になると、録画を終了する。
以上説明したように、本実施形態２に係る携帯端末１では、設定制御部１３が使用者からテレビ放送の録画終了時刻を予め受け付け、設定記憶部３３に格納しておく。この構成により、使用者は、録画を終了したい任意の時間を設定できるという効果が得られる。また、録画制御部１２が、設定記憶部３３に格納された録画終了時刻になったときに、録画を終了するように制御する。この構成により、携帯端末１は必要な内容のみを録画できるので、記憶領域を効率よく使用しながらテレビ放送を録画できるという効果が得られる。
［第３の実施形態］
次に、本発明の実施形態３について説明する。
本発明の実施形態３における携帯端末の構成は、実施形態１における携帯端末１の構成と同様である。設定記憶部３３内のデータが異なるが、その他の構成は実施形態１と同様であるため説明を省略する。
第８図は、本発明の実施形態３における携帯端末１の動作を示すフローチャートである。第８図を参照して、本実施形態３に係る携帯端末１における録画の動作について説明する。なお、第８図のステップＳ３０１、Ｓ３０２及びＳ３０３は、実施形態１におけるステップＳ１０１、Ｓ１０２及びＳ１０３と同様の動作であるため、その説明を省略する。
録画制御部１２は、録画を開始したあと、記憶部３１内の設定記憶部３２に格納される録画設定情報を取得する（ステップＳ３０４）。この実施形態３では、録画設定情報として、設定記憶部３２はイベント情報を保持する。ここで、イベント情報とは、テレビ受信部２５が受信しているテレビ受信情報に含まれる電子番組情報から取得できる、番組名等の識別情報である。使用者は、イベント情報が変化したときに録画を終了することを規定した指示情報を任意に設定することができる。
第９図は、イベント情報を設定する手順を示す図である。第９図を参照して、イベント情報を設定する手順を説明する。使用者は、任意のタイミングで、操作部３０を操作して録画設定情報を設定する指示を出す。設定制御部１３がこの指示を受けて、録画設定情報の設定画面を表示部２７に表示する。録画設定情報の設定画面は、上記実施形態１と同様に、「１．録画時間」、「２．録画終了時刻」、「３．イベント情報」および「４．全て」の４つの選択肢を示す画面である。ここでは、「３．イベント情報」について説明し、「４．全て」については後述する。
使用者は、この設定画面に対して「３」を入力する。すると、設定制御部１３は、録画開始時イベント情報テーブルを作成し、設定記憶部４２に格納する。この録画開始時イベント情報テーブルの内容は、この時点では空である。以上の操作により、使用者はイベント情報を設定できる。この設定は、予め使用者が任意に行うことが可能である。
録画制御部１２は、ステップＳ３０４において取得した録画設定情報の内容を確認する（ステップＳ３０５）。ここでは、空の録画開始時イベント情報テーブルが読み出される。録画制御部１２は、録画設定情報が録画開始時イベント情報テーブルであることを認識すると、イベント情報を取得する（ステップＳ３０６）。すなわち、録画制御部１２は、テレビ受信部２５が受信しているテレビ受信情報から電子番組情報を取得し、そこからイベント情報を読み出す。そして、録画制御部１２はそれを設定記憶部１６に格納された録画開始時イベント情報テーブルに書き込む。第１０図は、設定記憶部１６に格納された録画開始時イベント情報テーブルを示す図である。ここでは、「ＡＡ」というイベント情報を受信したことを意味している。
続いて、録画制御部１２は、現在のイベント情報を取得する（ステップＳ３０７）。現在のイベント情報も、上記と同様に、録画制御部１２が、テレビ受信部２２が受信しているテレビ受信情報から電子番組情報を取得し、そこからイベント情報を読み出すことによって取得される。
続いて、録画制御部１２は、録画開始時イベント情報テーブル内のイベント情報と現在のイベント情報とを比較し、イベント情報が変更されたかどうかを調べる（ステップＳ３０８）。録画開始時のイベント情報と現在のイベント情報とが一致する場合、録画制御部１２は、使用者による強制終了の指示があったか否かの判定を行う（ステップＳ３１０）。
強制終了の指示があった場合（ＹＥＳ）、録画制御部１２は、録画を終了する（ステップＳ３０９）。強制終了の指示がない場合（ＮＯ）、録画制御部１２はステップＳ３０７に戻る。
ステップＳ３０８において、録画開始時イベント情報と現在のイベント情報が一致しない場合（ＹＥＳ）、録画制御部１２は、録画を終了する（ステップＳ３０９）。この時点で、受信している番組の録画が完了する。
上述の一連の手順は録画制御部１２が制御している。したがって、ステップＳ３０２において使用者が携帯端末１を閉じる動作を行ってから、イベント情報が変化して録画が終了するまで、使用者は操作をする必要がない。
また、ステップＳ３０２において録画が開始された後は、再び携帯端末１を開いたとしても、録画制御部１２は録画の動作を続ける。この状態で、使用者がメール送信等の他の操作を行うことが可能であってもよい。なお、ステップＳ３０８において現在のイベント情報が録画開始時のイベント情報から変化した場合であっても、録画を終了しないように予め任意に設定することもできる。
第１１図は、本実施形態３における録画動作を説明する図である。第１１図に示すように、録画制御部１２はステップＳ３０２におけるクローズ動作をトリガとして録画を開始し、ステップＳ３０８においてイベント情報が変化したことを認識すると、録画を終了する。
なお、本実施形態３では一例として設定記憶部１６に記憶されるイベント情報を「ＡＡ」としたが、これはテレビ受信情報に含まれる値であるため他の値であってもよい。
以上説明したように、本実施形態３に係る携帯端末１では、設定制御部１３が、受信している番組が変化したときに録画を終了することを規定した指示情報を使用者から受け付け、設定記憶部３３に格納しておく。この構成により、使用者は、視聴中の番組のみを録画するという指示を予め設定しておくことができるという効果が得られる。また、録画制御部１２が、録画開始時に電子番組情報からイベント情報を取得して設定記憶部３３に格納しておき、録画開始後に、イベント情報が変化したことを検出すると、録画を終了するように制御する。この構成により、携帯端末１は使用者が所望する番組のみを録画できるので、記憶領域を効率よく使用しながらテレビ放送を録画できるという効果が得られる。
［第４の実施形態］
次に、本発明の実施形態４について説明する。
本発明の実施形態４における携帯端末の構成は、実施形態１における携帯端末１の構成と同様である。設定記憶部３３内のデータが異なるが、その他の構成は実施形態１と同様であるため説明を省略する。
この実施形態４では、上記実施形態１乃至３で説明したすべての録画設定情報を、使用者が予め設定する場合について説明する。
第１２図は、この実施形態４における録画設定情報を設定する手順を示す図である。第１２図を参照して、録画設定情報を設定する手順について説明する。使用者は、任意のタイミングで、操作部３０を操作して録画設定情報を設定する指示を出す。設定制御部１３がこの指示を受けて、録画設定情報の設定画面を表示部２７に表示する。録画設定情報の設定画面は、実施形態１と同様に、「１．録画時間」、「２．録画終了時刻」、「３．イベント情報」、「４．全て」の４つの選択肢を示す画面である。ここでは、「４．全て」について説明する。
使用者は、この設定画面に対して「４」を入力する。すると、設定制御部１３は、まず、録画時間の入力画面を表示する。使用者は、ここで、例えば「３０分」と入力し、「ＯＫ」ボタンを押下する。設定制御部１３は、「録画時間３０分」というデータを生成する。続いて設定制御部１３は、録画終了時刻の入力画面を表示する。使用者は、ここで、例えば「００」と入力し、「ＯＫ」ボタンを押下する。設定制御部１３は、「録画終了時刻××：００」というデータを生成する。続いて、設定制御部１３は、開始時イベント情報テーブルを作成する。設定制御部１３は、上記生成した録画設定情報を設定記憶部４２に格納する。以上の操作により、使用者は録画設定情報を設定できる。この設定は、予め使用者が任意に行うことが可能である。
第１３図は、本発明の実施形態４における携帯端末１の動作を示すフローチャートである。第１３図を参照して、本実施形態４に係る携帯端末１における録画の動作について説明する。なお、第１３図のステップＳ４０１、Ｓ４０２及びＳ４０３は、実施形態１のステップＳ１０１、Ｓ１０２及びＳ１０３とそれぞれ同様の動作であるため、それらの説明を省略する。また、設定記憶部４２は上述した録画設定情報を格納しているとする。
録画制御部１２は、録画を開始したあと、記憶部３１内の設定記憶部３２に格納される録画設定情報を取得する（ステップＳ４０４）。録画制御部１２は、取得した録画設定情報の内容を確認する（ステップＳ４０５）。録画制御部１２は、録画時間情報、録画時刻終了情報および録画開始時イベント情報テーブルが読み出されたことを認識する。続いて録画制御部１２は、録画時間情報の値をタイマー４１にセットしスタートさせる（ステップＳ４０６）。続いて、録画制御部１２は、イベント情報を取得する（ステップＳ４０７）。すなわち、録画制御部１２は、テレビ受信部２５が受信しているテレビ受信情報から電子番組情報を取得し、そこからイベント情報を読み出す。そして、録画制御部１２はそれを設定記憶部１６に格納された録画開始時イベント情報テーブルに書き込む。受信している番組のイベント情報を取得する手順は、上記実施形態３で説明した手順と同様である。第１４図は、設定記憶部１６に格納される録画設定情報の一例を示す図である。
続いて、録画制御部１２は、タイマー４１の設定時間が経過したか否かの判定を行う（ステップＳ４０８）。タイマー４１の設定時間が経過した場合（ＹＥＳ）、録画制御部１２は録画を終了する（ステップＳ４０９）。この時点で、予め設定されていた録画時間の録画が完了する。
ステップＳ４０８にて設定時間が経過していない場合（ＮＯ）、録画制御部１２は現在時刻を取得する（ステップＳ４１０）。録画制御部１２は、ステップＳ４０４において取得した録画終了時刻と現在時刻とを比較する（ステップＳ４１１）。録画終了時刻と現在時刻とが一致する場合（ＹＥＳ）、録画制御部１２は録画を終了する。この時点で、予め設定されていた録画時刻で録画が完了する。
ステップＳ４１１にて録画終了時刻と現在時刻とが一致しない場合（ＮＯ）、録画制御部１２は、現在のイベント情報を取得する（ステップＳ４１２）。続いて、録画制御部１２は、ステップＳ４０７において取得した録画開始時イベント情報と、ステップＳ４１２において取得した現在のイベント情報とを比較する。両者が一致しない場合、すなわち現在のイベント情報が変化している場合（ＹＥＳ）、録画制御部１２は、録画を終了する。一方、両者が一致しない場合、すなわち現在のイベント情報が変化していない場合（ＮＯ）、録画制御部１２は、使用者による強制終了の指示があったか否かの判定を行う（ステップＳ４１４）。
強制終了の指示があった場合（ＹＥＳ）、録画制御部１２は、録画を終了する。強制終了の指示がない場合（ＮＯ）、録画制御部１２はステップＳ４０８に戻る。
上述の一連の手順は録画制御部１２が制御している。したがって、ステップＳ４０２において使用者が携帯端末１を閉じる動作を行ってから、設定時間の録画が終了する、または設定時刻となるまで、またはイベント情報が変化するまで、使用者は操作をする必要がない。
また、ステップＳ４０２において録画が開始された後は、再び携帯端末１を開いたとしても、録画制御部１２は録画の動作を続ける。この状態で、使用者がメール送信等の他の操作を行うことが可能であってもよい。
第１５図は、本実施形態４における録画動作について説明する図である。ここでは、録画制御部１２は、ステップＳ４０２におけるクローズ動作をトリガとして録画を開始し、イベント情報が変化したことを検出したことにより録画を終了している。
また、本実施形態４では、一例として、録画設定情報として録画時間情報、録画終了時刻情報およびイベント情報すべてを使用者が設定することを説明したが、これらのうちいずれかを設定できるようにしてもよい。
以上説明したように、本実施形態４に係る携帯端末１では、設定制御部１３が、テレビ放送の録画時間、録画終了時刻および受信している番組が変化したときに録画を終了することを規定した指示情報を使用者から受け付け、設定記憶部３３に格納しておく。この構成により、使用者は、録画終了のタイミングを複数通り予め設定しておくことができるという効果が得られる。また、録画制御部１２が、設定記憶部３３に格納された録画設定情報に基づいて、設定された録画時間の経過、録画終了時刻の到来またはイベント情報の変化のうち、一番初めに起こったイベントのタイミングで、録画を終了するように制御する。この構成により、上記実施の形態１乃至３よりも、さらに記憶領域を効率よく使用しながらテレビ放送を録画できるという効果が得られる。
以上、実施形態を参照して本願発明を説明したが、本願発明は上記実施形態に限定されるものではない。本願発明の構成や詳細には、本願発明のスコープ内で当業者が理解しうる様々な変更をすることができる。
［第５の実施形態］
次に、本発明の実施形態５について説明する。
第１６図は、本発明の実施形態５における携帯端末５０の構成を示す図である。第１６図に示すように、携帯端末５０は、録画制御手段５１、設定記憶手段５２および録画手段５３を備える。録画制御手段５１は、テレビ放送の録画及び再生を制御する。設定記憶手段５２は、予め設定された条件を格納する。録画手段５３は、録画制御手段５１の制御に基づいてテレビ放送の内容を録画する。携帯端末５０は、所定の形態に自在に変化する。
次に、携帯端末５０の動作について説明する。録画制御手段５１は、テレビ放送を受信中に携帯端末５０が所定の形態に変化したことをトリガとして、テレビ放送の録画を開始するように録画手段５３を制御する。そして、録画制御手段５１は、設定記憶手段５２に格納された予め設定された条件が満たされると、テレビ放送の録画を終了するように録画手段５３を制御する。
以上説明したように、本実施形態５に係る携帯端末５０では、録画制御手段５１が、テレビ放送を受信中に携帯端末５０が所定の形態に変化したことをトリガとして、テレビ放送の録画を開始するように録画手段５３を制御し、設定記憶手段５２に格納された予め設定された条件が満たされると、テレビ放送の録画を終了するように録画手段５３を制御することによって、携帯端末５０において、記憶領域を効率よく使用しながらテレビ放送を録画できるという効果を奏する。
【産業上の利用可能性】
【０００９】
本発明は、携帯電話機、ＰＤＡ（Ｐｅｒｓｏｎａｌ  ｄｉｇｉｔａｌ  ａｓｓｉｓｔａｎｔ）、電子ブック装置、電子辞書、携帯パソコン、携帯ＤＶＤ（Ｄｉｇｉｔａｌ  Ｖｉｄｅｏ  Ｄｉｓｃ／Ｄｉｇｉｔａｌ  Ｖｅｒｓａｔｉｌｅ  Ｄｉｓｃ）記録／再生装置などに適用できる。
この出願は、２００８年１月２５日に出願された日本出願特願２００８−０１４９３２を基礎とする優先権を主張し、その開示の全てをここに取り込む。
【図１】
2009093669.tif 000003
【図２】
2009093669.tif 000004
【図３】
2009093669.tif 000005
【図４】
2009093669.tif 000006
【図５】
2009093669.tif 000007
【図６】
2009093669.tif 000008
【図７】
2009093669.tif 000009
【図８】
2009093669.tif 000010
【図９】
2009093669.tif 000011
【図１０】
2009093669.tif 000012
【図１１】
2009093669.tif 000013
【図１２】
2009093669.tif 000014
【図１３】
2009093669.tif 000015
【図１４】
2009093669.tif 000016
【図１５】
2009093669.tif 000017
【図１６】
2009093669.tif 000018
【国際調査報告】
2009093669.tif 000019
2009093669.tif 000020
2009093669.tif 000021
2009093669.tif 000022